(57)【要約】【課題】データ放送を利用してデータを伝送し、制御対象機器に応じたプロトコル、インタフェースを自動判別し、接続された制御対象機器を制御するシステムを構築することが可能な機器制御装置を得る。【解決手段】データ放送が多重化されたテレビジョン信号からデコード部１２により制御データを取出し、データ処理部１３により、制御データから機器制御装置を識別する装置識別コードと制御対象機器のプロトコルを識別するプロトコル識別コードと制御対象機器が接続されたインタフェースを識別するインタフェース識別コードとを取出し、装置識別コードが自装置のものであるときに、制御実行部１９により、インタフェース識別コードに対応するインタフェースにプロトコル識別コードに応じたプロトコルによりデータを制御対象機器に送信し、制御対象機器を制御するようにした。【選択図】        図１
2004312191.tif 000002
【特許請求の範囲】
【請求項１】
それぞれ制御対象機器が接続された複数のインタフェースを有するインタフェース部、制御データを含むデータ放送が多重化されたテレビジョン信号から上記制御データを取出すデコード部、このデコード部により取出された制御データから機器制御装置を識別する装置識別コードと上記制御対象機器のプロトコルを識別するプロトコル識別コードと上記インタフェースを識別するインタフェース識別コードとを取出すデータ処理部、及びこのデータ処理部により取出された装置識別コードが自機器制御装置のものであるときに、上記インタフェース識別コードに対応するインタフェースに上記プロトコル識別コードに応じたプロトコルにより制御信号を上記制御対象機器に送信する制御実行部を備え、上記制御信号により上記インタフェースに接続された制御対象機器を制御することを特徴とする機器制御装置。
【請求項２】
上記デコード部の変更により、アナログデータ放送及びデジタルデータ放送に対応するようにしたことを特徴とする請求項１記載の機器制御装置。
【請求項３】
上記データ放送には、マルチメディアデータが含まれると共に、上記マルチメディアデータを蓄積するデータ蓄積部、このデータ蓄積部に蓄積されたマルチメディアデータを映像化してビデオ出力するデータ表示部、及びこのデータ表示部によるビデオ出力を制御する操作部を備えたことを特徴とする請求項１または請求項２記載の機器制御装置。
【請求項４】
上記制御データは、上記装置識別コードと上記インタフェース識別コードと上記プロトコル識別コードとを有するヘッダ部、及び制御内容を示す制御パラメータを有するデータ部により構成されていることを特徴とする請求項１〜請求項３のいずれかに記載の機器制御装置。
【請求項５】
請求項１〜請求項４のいずれかに記載の複数の機器制御装置、この機器制御装置に制御データを含むデータ放送が多重化されたテレビジョン信号を送信するデータ放送送信装置、建物内に配置された複数のテレビ受信機にテレビジョン信号を配信する館内映像システムによりアンテナを介して受信されたテレビジョン信号と上記データ放送送信装置により送信されたテレビジョン信号とを混合するＲＦ混合器、及びこのＲＦ混合器の出力を上記機器制御装置及び上記館内映像システムのテレビ受信機に分配する分配器を備えたことを特徴とする機器制御システム。
【請求項６】
請求項１〜請求項４のいずれかに記載の複数の機器制御装置、及びこの機器制御装置に制御データを含むデータ放送が多重化されたテレビジョン信号を送信するデータ放送送信装置を備えたことを特徴とする機器制御システム。
【請求項７】
上記データ放送送信装置は、制御対象機器の選択とこの制御対象機器が接続された機器制御装置の選択と制御内容の選択とを行う選択部、この選択部により選択された制御対象機器に応じたプロトコル識別コード及びインタフェース識別コードと、上記選択された機器制御装置に応じた装置識別コードと、上記選択された制御内容に応じた制御パラメータとを含む制御データを生成する制御データ生成部、この制御データ生成部により生成された制御データをデータ放送信号にエンコードするデータ放送エンコード部、このデータ放送エンコード部によりエンコードされたデータ放送信号をテレビジョン信号に多重化するデータ放送多重部により構成されていることを特徴とする請求項５または請求項６記載の機器制御システム。
【発明の詳細な説明】
【０００１】
【発明の属する技術分野】
この発明は、テレビジョン信号に制御データを含むデータ放送を多重化し、種々のインタフェースの機器を遠隔制御することを可能とした機器制御装置及びこれを用いた機器制御システムに関するものである。
【０００２】
【従来の技術】
テレビジョン放送を利用してイメージデータやコンピュータプログラム用のバイナリデータ等各種データを伝送することが出来る方法として、データ放送が注目されている。このデータ放送は、テレビジョン放送を利用することから、広範囲の多数機器に対し、一度に一斉にデータを伝送することが可能であり、また、屋内施設等で共聴設備等の既存映像設備が整備されていれば、通信用に新たなケーブルを敷設する必要がなく、安価なデータ伝送システムの構築を可能とする特長がある。
従来より、この特長を利用してデータ伝送を利用してデータ伝送を行い、そのデータを受信して各種処理を行うことができるような制御装置が工夫されている。
例えば、従来のテレビジョン放送にデータを多重したデータ放送を利用した機器制御装置においては、テレビジョン放送にテレビジョン映像の付加情報となるデータを多重し、多重されたデータと、装置に接続された外部センサからのデータとを合せて自装置から出力する映像の出力制御を行うことで、スポーツ等の模擬練習が可能となるものであった。（例えば、特許文献１参照）
【０００３】
【特許文献１】
特開平０９−０６５２９８号公報（第３〜６頁、第５図）
【０００４】
【発明が解決しようとする課題】
上記従来の技術では、単にデータ放送を利用して模擬練習ができるにすぎず、この装置から他の装置への情報伝送や制御を行うことができないという問題があった。
ところで、各種競技場、病院、駅等の各種施設において、コンピュータにより、施設内の様々な場所に設置されている機器を、遠隔から制御するシステムを導入する場合、新たに制御用の高価なケーブルを新設しなければならず、またケーブルを敷設する工事費用も高額で、システム導入における費用負担が大きいという問題がある。
【０００５】
一方、このような施設のほとんどで、各フロアや部屋でＴＶが見られるようにするため、また、施設内独自の放送を行うことができるようにするために共聴設備が導入されているところが多い。そこで、この共聴設備、つまりテレビジョン信号を伝送するラインを使い、データ伝送ができれば、新たにケーブルを敷設せずに制御システムが構築できるため、安価な施設内制御システムを構築するにはテレビジョン信号にデータを多重させて伝送するデータ放送の利用が有効である。
また、制御装置は、制御対象となる機器が、必ずしも同一のインタフェースをもつとは限らず、ＬＡＮやＲＳ２３２Ｃ、ＰＣＭＣＩＡ等種々の制御インタフェースをもつことが予想されるため、これら一般的に多く用いられるインタフェースに対応する必要がある。
さらに、制御対象機器それぞれで様々な制御プロトコルを持つと考えられるため、制御対象機器に応じてプロトコルを判別し、各機器を制御する必要がある。
【０００６】
この発明は、上記のような課題を解決するためになされたものであり、データ放送を利用してデータを伝送し、制御対象機器に応じたプロトコル、インタフェースを自動判別し、接続された制御対象機器を制御するシステムを構築することが可能な機器制御装置を得ることを第一の目的とする。
また、既存の共聴設備が備わった屋内施設に、データ放送を利用してデータを伝送し、制御対象機器に応じたプロトコル、インタフェースを自動判別し、接続された制御対象機器を制御する機器制御装置を用いた機器制御システムを得ることを第二の目的にしている。
【０００７】
【課題を解決するための手段】
この発明に係わる機器制御装置においては、それぞれ制御対象機器が接続された複数のインタフェースを有するインタフェース部、制御データを含むデータ放送が多重化されたテレビジョン信号から制御データを取出すデコード部、このデコード部により取出された制御データから機器制御装置を識別する装置識別コードと制御対象機器のプロトコルを識別するプロトコル識別コードとインタフェースを識別するインタフェース識別コードとを取出すデータ処理部、及びこのデータ処理部により取出された装置識別コードが自機器制御装置のものであるときに、インタフェース識別コードに対応するインタフェースにプロトコル識別コードに応じたプロトコルにより制御信号を制御対象機器に送信する制御実行部を備え、制御信号によりインタフェースに接続された制御対象機器を制御するものである。
また、この発明に係わる機器制御システムにおいては、複数の機器制御装置、この機器制御装置に制御データを含むデータ放送が多重化されたテレビジョン信号を送信するデータ放送送信装置、建物内に配置された複数のテレビ受信機にテレビジョン信号を配信する館内映像システムによりアンテナを介して受信されたテレビジョン信号とデータ放送送信装置により送信されたテレビジョン信号とを混合するＲＦ混合器、及びこのＲＦ混合器の出力を機器制御装置及び館内映像システムのテレビ受信機に分配する分配器を備えたものである。
【０００８】
【発明の実施の形態】
実施の形態１．
図１は、この発明の実施の形態１による機器制御装置を示すブロック図である。
図１において、制御データを含むデータ放送のチャンネルを持つテレビジョン信号１１１を機器制御装置１へ入力し、チューナ部１１であらかじめ指定しておいたチャンネル１１２に従い、データ放送が行われているチャンネルのテレビジョン信号を受信する。デコード部１２は、この受信した信号からデータ放送部分をデコードし、制御データを取り出す。ここで、チューナ部１１及びデコード部１２は、アナログテレビジョン放送に対応したものにすれば、アナログテレビジョン放送に対応した装置に、デジタルテレビジョン放送に対応したものにすれば、デジタルテレビジョン放送に対応した装置とすることができる。
ここで、機器制御装置１で扱うことができる制御データ形式を図２に示す。
【０００９】
図２は、この発明の実施の形態１による機器制御装置で用いられる制御データの形式を示す図である。
図２において、制御データは、制御ファイル２形式となっており、予め定められた拡張子をつけたファイル名を持つ（例えば、×××．ｃｔｒ）。拡張子は、送信側と装置側で一致していれば何でもよい。本機器制御装置は、この拡張子をもとに、データ放送から伝送されたデータが、制御データであるか通常のデータ放送データ（マルチメディアデータやバイナリデータ等）であるかどうかを判別する。
制御データ２は、１２８ｂｉｔのヘッダー部２１とデータ部２２から構成される。ヘッダー部２１は、機器制御装置を識別する装置識別コード２３、機器制御をどのプロトコルで行うかを識別するプロトコル識別コード２４、機器制御をどのインタフェースで行うかを識別するインタフェース識別コード２５から構成される。データ部２２は、制御対象機器を制御する上で必要となる、制御コマンドやパラメータ、データファイル等の制御パラメータ２６により構成される。
【００１０】
図１に戻り、次に、データ処理部１３は、デコード部１２で取り出した上記形式の制御データ２をヘッダー部２１とデータ部２２に分離し、ヘッダー部２１から装置識別コード２３、プロトコル識別コード２４、インタフェース識別コード２５を取り出す。また、データ部２２から取り出した制御パラメータ２６を制御実行部１９へ渡す。装置コード識別部１５は、データ処理部１３で取り出された装置識別コード２３と自装置のコードを記憶している装置コード記憶部１４と比較し、自装置向の制御データかどうかを判別する。自装置向でなければ、データ処理部１３へ通知し、制御処理を終了する。
【００１１】
プロトコル識別部１７は、データ処理部１３で取り出されたプロトコル識別コード２４をもとにプロトコル記憶部１６から該当プロトコルを読み込み、制御実行部１９へ渡す。インタフェース識別部１８は、データ処理部１３で取り出されたインタフェース識別コード２５から使用するインタフェースを識別し、制御実行部１９へ通知する。制御実行部１９は、これらの制御パラメータ、プロトコル、インタフェースから、制御するインタフェースを切換、指定されたプロトコルでデータ（制御信号）を伝送し、装置と接続された機器１３１〜１３４の制御を実行する。
装置が保有するインタフェース部の各インタフェース１２１〜１２４は、ＲＳ２３２Ｃ、ＬＡＮ、Ｉ／Ｏ、ＵＳＢである。これらのインタフェース１２１〜１２４で大半の機器は制御可能である。制御対象の機器１３１〜１３４も、これらの制御インタフェースをもっている。
【００１２】
図３は、この発明の実施の形態１による機器制御装置の動作を示すフロー図である。
次に、実施の形態１の動作について図３を参照しながら説明する。
まず、データ送信側のデータ放送送信装置にてテレビジョン信号にデータを多重したデータ放送のチャンネルを含んだテレビジョン信号１１１が、本機器制御装置に入力され、ステップＳ１のようにチューナ部１１にて予め送信側に合わせて装置に設定しておいたデータ放送のチャンネル１１２のテレビジョン信号を受信する。受信したテレビジョン信号から、ステップＳ２において、デコード部１２でテレビジョン信号に多重化されているデータ放送をデコードし、ステップＳ３において、多重化されていたデータを取り出す。
【００１３】
データ放送は、もともとイメージデータ等のマルチメディアデータやコンピュータプログラム等のバイナリデータを送るためのものであるため、取り出したデータが機器の制御を行う制御データかどうかを判別する必要があり、ステップＳ４において、データ処理部１３で、ステップＳ３にて取り出されたデータのファイル拡張子を定められた拡張子名と比較し、制御データかどうかを識別する。拡張子名は、データ放送で通常伝送されるイメージデータ等の拡張子と異なる拡張子であれば何でも良い。例えば＊＊＊．ｃｔｒ（＊＊＊はファイル名）などの拡張子で実現できる。データ送信側では、データ放送送信装置において、制御データを本機器制御装置で定めた拡張子名に合せたデータ名にしてデータ放送を行うことで、本機器制御装置での制御が可能となる。ステップＳ４にて、データを識別した結果、制御データでなければ、データ処理を終了する。
【００１４】
ステップＳ４で取得されたデータが制御データ２であることが判明すると、ステップＳ５において、データ処理部１３で制御データ２をヘッダー部２１とデータ部２２に分離する。ヘッダー部２１は図２に示されるように、１２８ｂｉｔで構成され、制御データ２の上位１２８ｂｉｔを取り出すことで、ヘッダー部２１を抽出する。次に、ステップＳ６において、ヘッダー部２１を取り除いた残りの部分を制御パラメータ２６として抽出する。ステップＳ７において、ステップＳ５で抽出されたヘッダー部２１から上位６４ｂｉｔを装置識別コード２３として、装置識別コード後の３２ｂｉｔをプロトコル識別コード２４として、残りの３２ｂｉｔをインタフェース識別コード２５として抽出する。抽出されたコードに対し、まずステップＳ８において、装置識別コード２３を予め本機器制御装置に設定、記憶させていた装置コード記憶部１４の装置コードと比較し、データ放送で送られた制御データ２が自装置に対する制御データかどうかを装置コード識別部１５にて識別する。コードを比較した結果一致していなければ、自装置への制御データではないと判断し、データ処理部１３へ自装置外データの通知を行い、データ処理部１３は制御処理を終了する。
【００１５】
コードが一致した場合、データ処理部１３へ自装置データの通知を行い、データ処理部１３は、処理を継続する。自装置への制御データ２であることが識別されると、ステップＳ９において、ステップＳ７にて抽出されたプロトコル識別コード２４をもとに、プロトコル識別部１７は、識別毎に分けられた各種プロトコルを記憶しておいたプロトコル記憶部１６からプロトコル識別コード２４と一致したプロトコルを読み込む。また、ステップＳ１０において、ステップＳ７にて抽出されたインタフェース識別コード２５をもとに、インタフェース識別部１８は、予め決めておいた本機器制御装置が持つインタフェースのコードから、制御先のインタフェースを識別する。
ステップＳ６において抽出した制御パラメータ、ステップＳ９において読み込まれたプロトコル、ステップＳ１０で識別した制御インタフェースから、ステップＳ１１において、識別された制御インタフェース１２１〜１２４のいずれかで接続された制御対象の機器１３１〜１３４に対して、抽出した制御パラメータを、読み込んだプロトコルにて伝送する、もしくはパラメータに応じて制御処理を行うといった機器制御を実行する。
【００１６】
本機器制御装置により制御される機器Ａは、例えばＰＤＰやＤＬＰなどの表示装置である。テレビジョン信号（ＮＴＳＣ）、ＤＶＤやコンピュータのアナログＲＧＢ信号が入力されるＰＤＰ、ＤＬＰ等の表示装置と本機器制御装置とをＲＳ２３２Ｃで接続し、テレビジョン信号の表示チャンネルを切替える制御や、テレビジョン表示とアナログＲＧＢ表示を切替える制御等の各種制御を行うことができる。
本機器制御装置により制御される機器Ｂは、例えば情報映像化コンピュータなどのコンピュータ装置である。情報映像化コンピュータは、文字データ等の情報を背景や表示位置、色、サイズ等の情報から映像化してモニタに出力するような装置である。この情報映像化コンピュータ等のコンピュータと本機器制御装置とをＬＡＮ接続し、文字データ等の情報やその他映像化に必要な情報を転送する制御や映像を切替える制御等の各種制御を行うことができる。
【００１７】
本機器制御装置により制御される機器Ｃは、例えばブザーやランプなどの装置である。これらのブザーやランプと本機器制御装置とをＩ／Ｏで接続し、ブザーやランプのＯＮ接点出力等の各種制御を行い、呼び出しや緊急連絡等を行うことができる。
本機器制御装置により制御される機器Ｄは、例えばメモリカードライターなどの装置である。このメモリカードライターと本機器制御装置とをＵＳＢで接続し、文書データやマルチメディアデータ等種々データの転送、メモリカードへの書き込み制御等を行うことができる。
以上の例以外にも本機器制御装置は、ＲＳ２３２Ｃ、ＬＡＮ、Ｉ／Ｏ、ＵＳＢのインタフェースを持つ機器であれば、様々な機器に対して制御することが可能である。
【００１８】
実施の形態１によれば、データ放送を受信して機器を制御する機器制御装置により、ＲＳ２３２Ｃ、ＬＡＮ、Ｉ／Ｏ、ＵＳＢのインタフェースを持つ機器であれば、様々な機器に対して制御することが可能である。
【００１９】
実施の形態２．
次に、この発明の実施の形態２を図４にもとづいて説明する。実施の形態２のデータ放送送信装置は、制御データを作成してデータ放送として送信するものである。
図４は、この発明の実施の形態２によるデータ放送送信装置を示すブロック図であり、機器制御装置の制御データを作成し、データ放送として送信する装置を示している。
図４において、データ放送送信装置３は、次のように構成される。制御装置・制御内容選択部３１（選択部）は、制御を行う機器の選択、その機器の接続された機器制御装置の選択、制御内容の選択を行う。制御装置識別コード発生部３２は、選択した制御機器装置から装置識別コード２３を発生し、プロトコル識別コード発生部３３は、選択した制御対象機器に従ってプロトコル識別コード２４を発生し、インタフェース識別コード発生部３４は、選択した制御対象機器に従ってインタフェース識別コード２５を発生する。制御パラメータ生成部３５は、選択した制御内容に従って制御パラメータ２６を生成する。制御データ生成部３６は、これらの発生したコード、生成したパラメータから図２に示す形式の制御データ２を生成する。
【００２０】
生成された制御データ２は、データ放送エンコード部３７でデータ放送信号にエンコードされ、データ放送多重部３８は、そのエンコードされたデータ放送信号をテレビジョン信号３１１に多重化する。ＲＦ変調部３９は、多重化されたテレビジョン信号を一つのチャンネルとしたテレビジョン信号として出力する。
こうして出力されたデータ放送が多重化されたテレビジョン信号を、アンテナ３１２から取り込んだテレビジョン信号とＲＦ混合器３１３にて混合することで、既存の館内の映像設備をそのまま利用してデータ放送を送出することができ、このデータ放送により、実施の形態１の機器制御装置を利用して各種制御が可能となる。
【００２１】
実施の形態２によれば、データ放送送信装置は、制御データを作成してデータ放送として送信することにより、実施の形態１の機器制御装置を利用して各種制御が可能となる。
【００２２】
実施の形態３．
次に、この発明の実施の形態３を図５にもとづいて説明する。
図５は、この発明の実施の形態３による機器制御装置とデータ放送送信装置を使用して構築した制御システムを示す図であり、ＴＶを施設全体で見ることができるようにした共聴設備が備わった屋内施設において制御システムを構築した例である。
図５において、１Ｆ〜８Ｆまである施設に、ＴＶが見られるように共聴設備が整っており、アンテナ４２、館内映像システム４３、ＴＶ４６及びケーブルは、既存の共聴設備である。この施設において、各階に種々の機器を設置し、一括制御する制御システムを構築する場合、この既設共聴設備に対し、図５に示すデータ放送送信装置４１、ＲＦ混合器４４、分配器４５、本発明の機器制御装置４１１〜４１４を追加することにより、制御システムが構築可能となる。
【００２３】
この制御システムにおいて、１Ｆ、２Ｆ、８Ｆに設置された機器Ａを制御する場合、データ放送送信装置４１において、制御機器を機器Ａと、機器Ａが接続された本発明の機器制御装置（１）４１１、（３）４１３、（４）４１４と、制御内容とを表示切替を選択し、制御データを作成してデータ放送で伝送する。伝送された制御データを本発明の機器制御装置で受信し、制御データ２を取り出す。ここで、機器制御装置（２）４１２は、装置識別コード２３から自装置向けのデータではないことを判別し、制御処理を行わない。
他の機器制御装置（１）４１１、（３）４１３、（４）４１４は、自装置のデータであることを判別し、制御データ２に従って機器Ａ（例えばＰＤＰ等）に対し、表示切替制御を実行することができる。
【００２４】
実施の形態３によれば、このように、データ放送を用いて種々機器制御ができる機器制御装置により、屋内施設等ではほとんどのところで整備されている共聴設備を利用して制御システムを構築することが可能となり、制御システムのための新たなケーブルの敷設が不要なため、安価なコストで制御システムを構築することができる。
また、屋内施設に限らず、ケーブルテレビ局や放送局より制御データを送出すれば、広域エリアでの制御システムを安価に構築することができる。
【００２５】
実施の形態４．
図６は、この発明の実施の形態４による機器制御装置を示すブロック図である。
図６において、図１の構成に加えて、制御データ以外のマルチメディアデータを蓄積するデータ蓄積部６１、蓄積したマルチメディアデータをビデオ出力するデータ表示部６２、及びリモコンなどの操作機器６４の操作により、データ表示部６２のビデオ出力を制御する操作部６３を有している。
実施の形態１では、マルチメディアデータ等を伝送する通常のデータ放送のデータは、データ処理部１３にて制御データ以外と判断して処理を終了していたが、実施の形態４は、図６に示すように、制御データ以外のデータは、データ蓄積部６１に蓄積するようにする。蓄積したデータに対し、データ表示部６２でブラウザ等のアプリケーションにて映像化してビデオ出力する。また、リモコン等の操作機器６４の操作により、操作部６３にてデータ表示部６２に対して表示するデータを変更するなどの制御を行う。
【００２６】
実施の形態４によれば、実施の形態１の効果に加え、通常のデータ放送で送られる種々のマルチメディアデータをＴＶで閲覧することも可能な機器制御装置を得ることができる。
【００２７】
【発明の効果】
この発明は、以上説明したように構成されているので、以下に示すような効果を奏する。
それぞれ制御対象機器が接続された複数のインタフェースを有するインタフェース部、制御データを含むデータ放送が多重化されたテレビジョン信号から制御データを取出すデコード部、このデコード部により取出された制御データから機器制御装置を識別する装置識別コードと制御対象機器のプロトコルを識別するプロトコル識別コードとインタフェースを識別するインタフェース識別コードとを取出すデータ処理部、及びこのデータ処理部により取出された装置識別コードが自機器制御装置のものであるときに、インタフェース識別コードに対応するインタフェースにプロトコル識別コードに応じたプロトコルにより制御信号を制御対象機器に送信する制御実行部を備え、制御信号によりインタフェースに接続された制御対象機器を制御するので、データ放送に含まれる制御データにより、インタフェースに接続された制御対象機器を制御することができる。
【００２８】
また、複数の機器制御装置、この機器制御装置に制御データを含むデータ放送が多重化されたテレビジョン信号を送信するデータ放送送信装置、建物内に配置された複数のテレビ受信機にテレビジョン信号を配信する館内映像システムによりアンテナを介して受信されたテレビジョン信号とデータ放送送信装置により送信されたテレビジョン信号とを混合するＲＦ混合器、及びこのＲＦ混合器の出力を機器制御装置及び館内映像システムのテレビ受信機に分配する分配器を備えたので、データ放送を用いて制御対象機器の制御ができる機器制御装置により、屋内施設で整備されている共聴設備を利用して機器制御システムを構築することができる。
【図面の簡単な説明】
【図１】この発明の実施の形態１による機器制御装置を示すブロック図である。
【図２】この発明の実施の形態１による機器制御装置で用いられる制御データの形式を示す図である。
【図３】この発明の実施の形態１による機器制御装置の動作を示すフロー図である。
【図４】この発明の実施の形態２によるデータ放送送信装置を示すブロック図である。
【図５】この発明の実施の形態３による機器制御装置とデータ放送送信装置を使用して構築した制御システムを示す図である。
【図６】この発明の実施の形態４による機器制御装置を示すブロック図である。
【符号の説明】
１  機器制御装置、１１  チューナ部、１２  デコード部、
１３  データ処理部、１４  装置コード記憶部、１５  装置コード識別部、
１６  プロトコル記憶部、１７  プロトコル識別部、
１８  インタフェース識別部、１９  制御実行部、２  制御データ、
２１  ヘッダー部、２２  データ部、２３  装置識別コード、
２４  インタフェース識別コード、２５  制御パラメータ、
３  データ放送送信装置、３１  制御装置・制御内容選択部、
３２  制御装置識別コード発生部、３３  プロトコル識別コード発生部、
３４  インタフェース識別コード発生部、３５  制御パラメータ生成部、
３６  制御データ生成部、３７  データ放送エンコード部、
３８  データ放送多重部、３９  ＲＦ変調部、６１  データ蓄積部、
６２  データ表示部、６３  操作部、６４  操作機器。
【図１】
2004312191.tif 000003
【図２】
2004312191.tif 000004
【図３】
2004312191.tif 000005
【図４】
2004312191.tif 000006
【図５】
2004312191.tif 000007
【図６】
2004312191.tif 000008